Podtech/llm-jp-corpus-v4-ja_patent huggingface dataset:
(57)【要約】      （修正有）【課題】使用する際に、使用者をリラックスさせるような安心感を与える耳掻き用具を提供する。【解決手段】耳掻き用具を使用する際に、耳掻き用具とは別に香水等好ましい香りを用意することができ、耳と鼻の距離は非常に近く、微量の香りが耳掻き用具に付着していれば容易に香りが鼻に達することができる。また耳掻き用具自体に音声を発音できることで、小音声で耳に伝達することができる。【選択図】図２
0003152394.tif 000002
【実用新案登録請求の範囲】
【請求項１】
本体の先端に取り付けられた耳掻き部をそなえ、かつ耳掻き部を覆うキャップ等（以下  キャップ）を備えた耳かき用具で、キャップ内部に液体香料を保持する吸収剤を装着する吸収部を設けた耳掻き用具。
【請求項２】
請求項１の耳掻き用具において、キャップ内部に設けた吸収部に液体香料を保持する代わりに、アルコール等の液体消毒剤を保持させた耳掻き用具。
【請求項３】
請求項１の耳掻き用具において、本体内部に挿入できる構造を設けブラシを挿入した構造の耳掻き用具。
【請求項４】
請求項１の耳掻き用具において、キャップ内に液体香料を保持する吸収剤を装着する代わりに、ブラシを装着できる構造を持つ耳掻き用具。
【請求項５】
請求項１の耳掻き用具において、本体内部に音声を発音できる構造を設けた耳掻き用具。
【請求項６】
請求項１の耳掻き用具において、本体内部に発光する構造を持つ耳掻き用具。
【考案の詳細な説明】
【技術分野】
【０００１】
本考案は、耳掻き用具に付加する機能に関するものである。
【背景技術】
【０００２】
本考案は耳掻き用具に関するものであるが、耳掻き用具を使用するときは、耳内部は細くかつ奥までの長さが不明のため、耳掻き用具を挿入する際にはどうしても不安な状況がおきる。このため耳掻き用具を使用する際に、使用者をリラックスさせるような安心感を与えることを目的とする。
【０００３】
本考案に関係する公知例はない。
【考案の開示】
【考案が解決しようとする課題】
【０００４】
不安な時に安心感を与えるには、別な状況に目を向けることで達成できることがある。耳掻き用具を使用するとき、体とくに頭部を動かさない状態で静かにしていることが必要である。
【０００５】
この点、鼻による刺激は直接耳の動作に影響を及ぼすことは無いと考えられる。そこで、好ましい匂いによりリラックスさせることで、耳掻き用具を使用する際の不安感を解消することが可能と考えられる。
【０００６】
また、好ましい匂いに加え小さな音を発音させることで合わせて不快感を解消することが可能と考えられる。
【課題を解決するための手段】
【０００７】
耳掻き用具を使用する際に、耳掻き用具とは別に香水等好ましい香りを用意することもできるが、耳と鼻の距離は非常に近く、微量の香りが耳掻き用具に付着していれば、容易に香りが鼻に達することができる。
【０００８】
また、耳掻き用具自体に音声を発音できることで、小音声で耳に伝達することができる。
【考案の効果】
【０００９】
本考案により、耳掻きを実際に行う時、匂いがただよいリラックスした気分で安心して使用できることで、使用者の満足感を充足でき、使い勝手の良く商品価値を向上できる。
【考案を実施するための最良の形態】
【００１０】
本考案の好適な実施形態について図面に基づいて説明する。図1は本考案を適用した耳掻き用具を示す外観斜視図、図２は耳掻き用具の細部構成を示す。
【００１１】
本考案の耳掻き用具は、図２に示すように、耳掻き部１、本体２、キャップ３、ブラシ４、キャップ内にある吸収部５から構成されている。
【００１２】
吸収部５に保持された香料が、耳掻き用具を使用しないとき（キャップ３を本体２に装着したとき）香料の成分を構成するアルコールの蒸発に伴い、微量の香り成分が耳掻き用具のキャップに覆われた耳掻き部１の先端に移る。
【００１３】
耳掻き用具を使用するとき（キャップを外したとき）耳掻き部先端１に付着した香りを発散することができる。
【００１４】
本体２にキャップ３を装着したとき、耳掻き部先端１と吸収部５は直接触れ合う必要は無い。また、キャップ３や本体２はアルコール等による浸透を防止するため金属製が好ましいが、浸透を防ぐことのできるプラスチック等の材料でも良い。
【００１５】
香料の代わりに、アルコール等の消毒剤を用いれば、キャップ３を装着した耳掻き用具を保管する際に、耳掻き部１先端の除菌を行うことができる。
【００１６】
本体２の後部に装着されたブラシ４を使用して耳掻き部１先端の掃除をすることができる。もしくは、図３に示すようにキャップ３の内部にブラシ４を装着し、キャップを装着したとき耳掻き部１の先端をブラシ４と接触させることにより、先端部の清掃をすることができる。
【００１７】
また、図４に示すように、本体に音源６及び電源７を内蔵し、音源６から小さな音声を発生することにより，好ましい匂いに加え音も合わせて不快感を解消することが可能と考えられる。
【００１８】
もしくは、図５のように、本体内に発光部８及び発光用電子回路を設け、発光部８を用いて発光させることにより、耳の内部を照らし、より安全に耳掻きを行うことができる。発光部はＬＥＤまたは電球などを用いる。
【図面の簡単な説明】
【００１９】
【図１】考案形態の外観斜視である。
【図２】考案形態の構成を示す。
【図３】キャップ内にブラシがある場合を示す。
【図４】本体内部に音源を設けた場合を示す。
【図５】本体内部に発光部を設けた場合を示す。
【符号の説明】
【００２０】
１  耳掻き先端部
２  本体
３  キャップ
４  ブラシ
５  吸収部
６  音源
７  電源
８  発光部
９  発光用の電子回路
【図１】
0003152394.tif 000003
【図２】
0003152394.tif 000004
【図３】
0003152394.tif 000005
【図４】
0003152394.tif 000006
【図５】
0003152394.tif 000007
(57)【要約】【課題】  内部のキャンドルの炎を消えにくくするのみならず、内部のキャンドルの炎を利用した光の装飾を可能とする。【解決手段】  内周体１０は透明素材で構成され、内部に点火したキャンドルを収めて保護するものとなっている。中体２０は透明素材で構成された中空体となっており、内周体１０に被せて内部に点火したキャンドルを収めて風・雨・雪等に対して内部のキャンドルの炎を消えにくくするものである。外周体３０は透明素材で構成され、中体２０の外側を囲むものであり、その表面に模様や字を描くことができるものとなっている。内周体１０、中体２０、外周体３０はいずれも透明素材でできており、内部の炎の光が外部に漏れるようになっている。外周体３０に模様や字を描くことにより、キャンドルの炎の光により外周体３０の模様や文字が投影される。【選択図】  図６
0003152372.tif 000002
【実用新案登録請求の範囲】
【請求項１】
透明素材により構成した、内部に点火した照明体を収めた内周体と、前記内周体に被せて内部の照明体の炎を保護する中体と、前記中体の外側を囲む外周体とを備え、
前記外周体に模様や字を描くことにより、前記照明体の炎の光により前記外周体の模様や文字が投影されることを特徴とする模様等投影機能を備えた火屋。
【考案の詳細な説明】
【技術分野】
【０００１】
本考案は火屋の技術分野に関する。
【背景技術】
【０００２】
従来技術の火屋の目的は、点火したキャンドルに被せて中空内部に点火したキャンドルを収めて風・雨・雪等に対して内部のキャンドルの火を消えにくくするものであった。例えば、内部のキャンドル等の炎が消え難いように風防を付けたりするものがあった（特開２００２−１０９９５４号公報）。
【先行技術文献】
【特許文献】
【０００３】
特開２００２−１０９９５４号公報
【考案の概要】
【考案が解決しようとする課題】
【０００４】
本考案は、点火したキャンドルに被せて中空内部に点火したキャンドルを収めて風・雨・雪等に対して内部のキャンドルの炎を消えにくくするのみならず、内部のキャンドルの炎を利用した絵模様や字の投影を可能とした。
【課題を解決するための手段】
【０００５】
上記目的を達成するため、本考案の模様等投影機能を備えた火屋は、
同じ透明素材により構成した、内部に点火したキャンドルを収めた内周体と、前記内周体内部のキャンドルの炎を保護する中体と、前記中体の外側を囲む外周体とを備え、
前記外周体に模様や字を描くことにより、前記キャンドルの炎の光により前記外周体の模様や文字が投影されることを特徴とする模様等投影機能を備えた火屋である。
【考案の効果】
【０００６】
本考案にかかる模様等投影機能を備えた火屋によれば、外周体に描いた模様や文字が内周体のキャンドルから外部に漏れる炎の光により投影される。
【図面の簡単な説明】
【０００７】
【図１】本考案の模様等投影機能を備えた火屋の正面図
【図２】本考案の模様等投影機能を備えた火屋の平面図
【図３】本考案の模様等投影機能を備えた火屋の底面図
【図４】平面図におけるＡ−Ａ線の端面にハッチングを施した端面図
【図５】平面図におけるＢ−Ｂ線の端面にハッチングを施した端面図
【図６】各部の構成を示す斜視参考図
【考案を実施するための形態】
【実施例】
【０００８】
図１から図６は外周体の外形が四角型の本考案の模様等投影機能を備えた火屋を示す図である。
【０００９】
なお、背面図、右側面図、左側面図は正面図と同一であるため省略した。
【００１０】
本考案の模様等投影機能を備えた火屋は、内周体１０、中体２０、外周体３０を備えた構成となっている。
【００１１】
内周体１０は透明素材で構成され、内部に点火したキャンドルを収めて保護するものとなっている。
【００１２】
中体２０は透明素材で構成された中空体となっており、内周体１０に被せて内部に点火したキャンドルを収めて風・雨・雪等に対して内部のキャンドルの炎を消えにくくするものである。
【００１３】
外周体３０は透明素材で構成され、中体２０の外側を囲むものであり、その表面に模様や字を描くことができるものとなっている。
【００１４】
内周体１０、中体２０、外周体３０はいずれも透明素材でできており、内部のキャンドル２００の炎の光が外部に漏れるようになっている。
【００１５】
外周体３０に絵模様や字を描くことにより、それら絵模様や字を内部のキャンドル２００等の照明体の灯りにより照らすことができる。
【符号の説明】
【００１６】
１０  内周体
２０  中体
３０  外周体
【図１】
0003152372.tif 000003
【図２】
0003152372.tif 000004
【図３】
0003152372.tif 000005
【図４】
0003152372.tif 000006
【図５】
0003152372.tif 000007
【図６】
0003152372.tif 000008
(57)【要約】      （修正有）【課題】乾燥が速く衛生的なスポンジホルダーを提供する。【解決手段】ホルダー本体は、水栓のパイプ部とパイプ挟持接合部材により接続手段が設けられ、それに連なるたわし保持部からなる。パイプ挟持接合部材から連なるたわし保持部は、細い部材を用いた。【選択図】図１
0003152316.tif 000002
【実用新案登録請求の範囲】
【請求項１】
ホルダー本体は、水栓のパイプ部との挟持接続手段が設けられ、それに連なるたわし保持部との合体物である。
【請求項２】
前記パイプ挟持接合部材から連なるたわし保持部は、細い部材を用いた請求項１に記載のホルダー。
【考案の詳細な説明】
【技術分野】
【０００１】  本考案は、家庭の台所や事業所内の水回りにおいて、スポンジや繊維からなるたわしを、収納するホルダーに関する。
【背景技術】
【０００２】  従来の摺洗具ホルダーは、水周りの壁面に、吸盤や両面粘着テープなどで取り付ける物があるが、汚れやすくかつ、作業のじゃまになることがあった。
【先行技術文献】
【特許文献】
【０００３】
【特許文献１】特開２００２−３２０５６１号広報
【考案の概要】
【考案が解決しようとする課題】
【０００４】  以上の技術ではシンク内をスッキリさせ、なおかつ摺洗具を清潔に保つ事ができず、さらに邪魔であり使い勝手も良くなかった。そこで本考案は摺洗具ホルダーをまったく別の場所へ取り付ける技術を提供することを課題とする。
【課題を解決するための手段】
【０００５】  上記の目的を解決するために、本考案のホルダーを水栓パイプに取り付けることにより、スポンジたわしをパイプ下部に保持することができる。
【考案の効果】
【０００６】  水栓パイプに取り付けられたホルダーにより、パイプ下部にスポンジたわしが収まり、シンクの正面から見るとスポンジたわしはパイプと重なり合って一体化するために、見た目が良くなりスッキリする。また、合成樹脂や金属から成る細い部材で構成されたスポンジたわし保持部は、たわしとの接触面積が小さく、中に浮いた状態で保持されるため乾燥が速く衛生的である。そして今まで使用されていたシンク内壁面にあったトレー型ホルダー等は不要になり、シンク内の作業面積が拡大するために、使用勝手の良さも増す。
【図面の簡単な説明】
【０００７】
【図１】この考案の一実施形態を示す、斜視図である。
【図２】この考案の一実施形態を示す、左側面図である。
【図３】この考案の一実施形態を示す、断面図である。
【図４】この考案の他の実施形態を示す、断面図である。
【考案を実施するための形態】
【０００８】  本考案のホルダーについて、図１，図２，図３、に示す一実施形態について説明する。
【実施例】
【０００９】  この一実施形態に関わるホルダーは、水栓パイプ部分に取り付ける物であり、合成樹脂から成る接続挟持部と、細い金属線から成るたわし保持部との組み合わせで、構成されている。【０００１０】  パイプ挟持部（図３）の（Ａ・Ｂ）は、バネを利用した挟みの構造であるため脱着が容易に行うことができる。また挟みの下部Ｂのパイプに接する面を、一部波状に加工することで通常の丸パイプ平パイプのどちらにも対応が可能となる。【０００１１】  そして、挟持部から連なるたわし保持部（Ｃ）は細いステンレス鋼や銅線などの金属線を想定して考案されている。【０００１２】  さらに、他の実施例（図４）の（１，２）については、それぞれのパイプの太さに応じてゴムや合成樹脂の弾力性を利用して着脱する最も簡単な接続方法であり、構造が簡単であるため、一体形成によりきわめて安価にて製造することが可能である。また（１，２）以外の太いパイプに取り付ける場合（３）は、調整可能な結束保持具を用いることによりあらゆる太さ、形状のパイプに取り付けが可能になる。
【産業上の利用可能性】
【０００１３】  本考案は、主に家庭内における台所での使用がもっとも効果的と思われるが、事業所又は工場での水周りにおいて、作業工具類などの収納などに使用される可能性もある。
【符号の説明】
【０００１４】Ａ  上パイプ挟持部  Ｂ  下パイプ挟持部  Ｃ  たわし保持部
１  標準丸パイプ    ２  標準平パイプ    ３  他の太いパイプ
【図１】
0003152316.tif 000003
【図２】
0003152316.tif 000004
【図３】
0003152316.tif 000005
【図４】
0003152316.tif 000006
【手続補正書】
【提出日】平成21年4月28日(2009.4.28)
【手続補正１】
【補正対象書類名】実用新案登録請求の範囲
【補正対象項目名】全文
【補正方法】変更
【補正の内容】
【実用新案登録請求の範囲】
【請求項１】
ホルダー本体は、水栓のパイプ部とパイプ挟持接合部材により接続手段が設けられ、それに連なるたわし保持部からなるスポンジホルダー。
【請求項２】
前記パイプ挟持接合部材から連なるたわし保持部は、細い部材を用いた請求項１に記載のスポンジホルダー。
(57)【要約】      （修正有）【課題】グリーンアスパラを収穫する際、腰を曲げないで鋏み切り、其の儘アスパラを抱き抱え、採集かごへ運べる鋏を提供する。【解決手段】鋏の握り部の片方を３０センチから８０センチのパイプで伸ばし、刃に対し、９２度から１２０度の範囲で曲げたパイプ先端に取り付けた握り３の一方を、鋏の握り部のもう片方とワイヤ４で連結させた他方の握りで操作する。さらに、両方の刃１にアスパラが切られた時、倒れないようにする抱き抱え柵を設けても良い。【選択図】図１
0003152313.tif 000002
【実用新案登録請求の範囲】
【請求項１】
鋏の握り部の片方を９２度から１２０度の範囲に曲げ、３０センチから８０センチの範囲の長さのパイプ先に鋏を操作する握りを取り付けます。
【請求項２】
一方の握り部に孔を開け、ワイヤーの先端を取り付け、一方の先端をパイプ先の握りにセットします。鋏に対して握りの角度が屈曲してるので、握り操作が円滑でないため、屈曲地点に滑車を設置、刃先と握りの間の滑車をを活用して滑らかな握り操作が出来ます。
【請求項３】
ビニールチューブに針金を指した材料で、コの字型にしたアスパラ倒伏防止ガードを、刃の動きと連動させるため両刃の背に各々取り付け、刃先の方にある取り付け部一箇所の針金先端を垂直に延ばし、アスパラの成長を測る馬鹿棒に活用します。鋏の操作でコの字型のガートが連動し、アスパラを抱き抱え採集かごまで運べます。
【考案の詳細な説明】
【技術分野】
【０００１】本考案は、グリーンアスパラを収穫する際、腰を曲げないで鋏み切り、其の儘アスパラを抱き抱え、採集かごへ運べる鋏の考案です。
【背景技術】
【０００２】従来から、アスパラの収穫は、腰を曲げてアスパラの下部に鋏を差込み、握りを操作し、収穫しています。
【考案の開示】
【考案を解決しようとする課題】
【０００３】現在使用されてる鋏は、腰を曲げて地べたで鋏握りを操作する作業なので、身体に負担が多く、腰を曲げないで握り操作でき、鋏切りと同時にアスパラを抱き抱え、収穫かごまで運べるようにした考案です。
【課題を解決する手段】
【０００４】鋏の握り部の片方を、９２．度から１２０度ぐらいの角度に曲げ、３０センチから８０センチぐらいのパイプを取り付け、バイプの先に挟み操作の握りを取り付け、一方の握り部には孔を開け、パイプ先端に取り付けた握りとワイヤーで練結、パイプ先端の握り操作で、アスパラを鋏み切ります。刃先と握りとの角度が、屈曲してるので、屈曲地点に滑車を置き、屈曲難点を解決してあります。
両方の刃の背後に、ビニールチューブに針金を指した材料で、アスパラを抱き抱えるコの字型の倒伏防止ガードと、アスパラの摘み取り高さを目安にする比較棒も取り付けます。
【考案の効果】
腰を曲げないで切り取りと、収穫かごまで運べるので、大幅に能率は上がり、身体への負担も大幅に軽減されます。
【実施例】アスパラを切り取りと同時に抱き抱えて、収穫かごまで運べますから土の付着も無くなりました。
【図面の簡単な説明】
【０００７】
【図１】  握り部と刃物の屈曲角度側面図
【図２】  握りと刃物の屈曲地点の側面図
【図３】  アスパラ倒伏防止ガイドと馬鹿棒の側面図
【符号の説明】
【０００８】  １  鋏の刃
２  パイプ
３  握り
４  ワイヤ
５  ワイヤ取り付け孔
６  屈曲地点の滑車
７  アスパラ倒伏防止ガイド
８  馬鹿棒
【図１】
0003152313.tif 000003
【図２】
0003152313.tif 000004
【図３】
0003152313.tif 000005
【手続補正書】
【提出日】平成21年4月30日(2009.4.30)
【手続補正１】
【補正対象書類名】実用新案登録請求の範囲
【補正対象項目名】全文
【補正方法】変更
【補正の内容】
【実用新案登録請求の範囲】
【請求項１】
鋏の握り部の片方を３０センチから８０センチのパイプで伸ばし、刃に対し、９２度から１２０度の範囲で曲げたパイプ先端に取り付けた握りの一方を、鋏の握り部のもう片方とワイヤで連結させた他方の握りで操作する抱き抱え鋏。
【請求項２】
両方の刃にアスパラが切られた時、倒れないようにする抱き抱え柵を設けた請求項１記載の抱き抱え鋏。
(57)【要約】      （修正有）【課題】タオルケット、毛布又は掛け布団が寝返りにより、人体から離れることを防止する支え棒付き掛けシーツを提供する。【解決手段】人体とタオルケット、毛布又は布団の間に入れる掛けシーツの各辺に、支え用棒を設けたことを特徴とする。【選択図】図２
0003152315.tif 000002
【実用新案登録請求の範囲】
【請求項１】
睡眠時人体の上に掛け布（ここでは掛シーツという）を載せ使用することを特徴とする掛シーツ。
又，この掛シーツはシーツの各辺に支え用棒を設けたことを特徴としている。
なお  タオルケット，毛布，掛け布団等は掛シーツの上に載せて使用する。
【考案の詳細な説明】
【技術分野】
【０００１】本考案は就寝時人体に直接載せる掛シーツに関するものである。
【背景技術】
【０００２】通常，就寝時，敷布団を包んだ敷布団用シーツ又はカバー上に人体が横たわり，タオルケット／毛布掛け布団が上部に掛けられる。又，ベットでは人体上部に掛け布を置き，両端部及び足先端部はこの布をベット又は布団の下に挟んでいる。
【考案の開示】
【考案が解決しようとする課題】
【０００３】人体の上にタオルケットや毛布，掛け布団等を直接掛けた場合，睡眠中の寝返りにより，これらが，人体から離れる場合があり寝冷え等の原因になる。
又，床とマットレスの間等に掛け布をそのまま挟んだ場合，寝返りで掛け布が緩むことがある。
更に，タオルケットや毛布カバー，掛け布団カバー等はそれぞれ洗濯の必要性がある。
【課題を解決するための手段】
【０００４】本考案は人体とタオルケット又は毛布等の間に掛シーツを置いたものである。この掛シーツは寝返り時の移動を防止するために，このシーツの左右及び足先端部に支え用棒が挿入されていてこの棒を敷布団又はベットの下に挟みこんだものである。
又，胸元部にも支え用棒を設け掛け布団の上に載せている。
【考案の効果】
【０００５】上述により，掛けシーツの上に置かれたタオルケット又は毛布，掛け布団も寝返りにより動くことはなく，これらが人体から離れることを防止することができる。又洗濯は掛シーツを行うことにより，タオルケット又は毛布，掛け布団等のカバーをそれぞれ洗濯する必要はなくなる。従って，毛布カバー，掛け布団カバーは不要となる。
【考案を実施するための最良の形態】
【０００６】支え用棒は掛シーツの４辺（左右，足先端部，及び胸元）にポケットを設け，ポケットにこの棒を挿入したもので，容易に着脱可能な構造てある。又この棒を敷布団又はベットの下に折り返して置くようにする。又，胸元部の支え用棒は外側の掛け布団の上に載せ全体を包むようにする。
なお，この棒を敷布団又はベットの下に置く際に，敷布団カバー等を改修する必要はありません。
【実施例】
【０００７】以下添付図面に従って一実施例を説明する。
図１は支え棒付き掛けシーツの平面図である。１は掛シーツで試作品では材料が市販のフラットシーツである。２は掛シーツの支え棒で，一組６本使用。内訳は人体の左右が各一本，頭部と足先部に各２本使用  ６本とも，材質は発砲ポリエチレン又はＥＶＡ発砲体又は木材を使用している。
３は２の取り付け用布製袋でポケット式であり，ワンタッチで２の取り付け取り外しが可能である。
図２は布団で就寝している図面である。２の掛シーツの支え棒は布団の下に差し込んでいる。
【図面の簡単な説明】
【０００８】
【図１】支え棒付き掛けシーツの平面図である。
【図２】本案の掛シーツ使用例で，敷布団（カバー付き），人体，掛シーツ，毛布等，掛け布団の順で置かれている。又，中央部と足先端部は断面で表している。
【符号の説明】
【０００９】１  掛シーツ
２  支え棒
３  布製袋
４  毛布／タオルケット
【図１】
0003152315.tif 000003
【図２】
0003152315.tif 000004
【手続補正書】
【提出日】平成21年5月1日(2009.5.1)
【手続補正１】
【補正対象書類名】実用新案登録請求の範囲
【補正対象項目名】全文
【補正方法】変更
【補正の内容】
【実用新案登録請求の範囲】
【請求項１】
就寝時，人体とタオルケット又は毛布又は掛け布団の間に入れる掛けシーツの各辺に，支え用棒を設けたことを特徴とする掛けシーツ。
(57)【要約】      （修正有）【課題】静脈注射や採血の後の注射針穿刺跡を局所的に圧迫止血し、なおかつ、血流が遮断されにくい止血バンドを提供する。【解決手段】伸縮性を有する素材からなるバンド１の一端の内面に厚肉３に形成された圧迫部を設け、同バンド１の他端の内面に第一の布ファスナー２を設けるとともに、同バンドの外面の適所に第一の布ファスナーに係合する第二の布ファスナー２を設けて、局所圧迫止血バンドを構成する。【選択図】図１
0003152699.tif 000002
【実用新案登録請求の範囲】
【請求項１】
伸縮性を有する素材からなるバンドの一端の内面に厚肉に形成された圧迫部を設け、同バンドの他端の内面に第一の布ファスナーを設けるとともに、同バンドの外面の適所に第一の布ファスナーに係合する第二の布ファスナーを設けた局所圧迫止血バンドである。
【請求項２】
請求項１に記載の局所圧迫止血バンドにおいて、バンドの幅が３．５ｃｍ以上であることを特徴とする。
【請求項３】
請求項１に記載の局所圧迫止血バンドにおいて、上記圧迫部の厚さが５ｍｍ以上であることを特徴とする。
【考案の詳細な説明】
【技術分野】
【０００１】  この考案は、静脈注射・採血の医療行為の後に用いる、注射針穿刺跡の圧迫止血バンドの形状に関する。
【背景技術】
【０００２】  現在市販されている止血バンドは、幅約３ｃｍの止血バンドの内側に厚手の硬いコットン等を挟んで圧迫止血を期待するものである。
【考案の開示】
【考案が解決しようとする課題】
【０００３】  従来の止血バンドでは、止血バンドとは別に厚手のコットンを準備する必要がある。また、止血のために強く巻きつけることによって血流そのものが遮断されやすい。
そこで、この考案は、静脈注射や採血の後の注射針穿刺跡を局所的に圧迫止血し、なおかつ、血流が遮断されにくい止血バンドを提供することを課題とする。
【課題を解決するための手段】
【０００４】  以上の課題を解決するため第一の考案は、バンドの幅を３．５ｃｍ以上、望ましくは４〜５ｃｍにすることにより、血流そのものを遮断する危険性を極力避けられることである。
また、第二の考案は、バンドの一端の圧迫部を５ｍｍ以上、望ましくは５〜１０ｍｍにすることにより、注射針穿刺跡の局所的な止血が可能となることである。
【考案の効果】
【０００５】  第一、第二の考案によると、静脈注射・採血の医療行為の後、注射針穿刺跡に圧迫部を当て、軽くバンドを巻き固定することにより、注射針穿刺跡の圧迫止血ができる。
【考案を実施するための最良の形態】
【０００６】  この考案の一実施形態を、図１に示す。
局所圧迫止血バンドは、伸縮性を有する布製素材からなる幅４ｃｍのゴムバンドであり、バンドの一端の内面に厚肉に形成された圧迫部を設け、同バンドの他端の内面に第一の布ファスナーを設けるとともに、同バンドの外面の適所に第一の布ファスナーに係合する第二の布ファスナーを設けている。
【実施例】
【０００７】  局所圧迫止血バンドは、伸縮性を有する布製素材からなる幅４ｃｍの長さ３０ｃｍゴムバンドである。バンドの一端の内面には厚肉に形成された圧迫部を設け、同バンドの他端の内面に第一の布ファスナーを設けるとともに、同バンドの外面の適所に第一の布ファスナーに係合する第二の布ファスナーを設けている。【０００８】  静脈注射・採血の医療行為の後、肘関節部の注射針穿刺跡に、綿花等の上から圧迫部を当て、軽く局所圧迫止血バンドを巻き固定する。
【産業上の利用可能性】
【０００９】  医療現場では、静脈注射・採血の後に患者自身が注射針穿刺跡を指で圧迫していることが多い。しかし、さまざまな理由から十分な圧迫ができず、注射針穿刺跡からの流血や皮内出血が認められることがある。この考案の止血ベルトの製品化および医療現場への導入により、簡便で確実な針穿刺跡の局所圧迫止血が期待できる。
【図面の簡単な説明】
【０００１０】
【図１】  この考案の一実施形態（表面）を示す斜視図である。
【図２】  この考案の一実施形態（裏面）を示す斜視図である。
【符号の説明】
【０００１１】    １  ゴムベルト
２  マジックテープ
３  隆起部
【図１】
0003152699.tif 000003
【図２】
0003152699.tif 000004
【手続補正書】
【提出日】平成21年4月3日(2009.4.3)
【手続補正１】
【補正対象書類名】実用新案登録請求の範囲
【補正対象項目名】全文
【補正方法】変更
【補正の内容】
【実用新案登録請求の範囲】
【請求項１】
伸縮性を有する素材からなるバンドの一端の内面に厚肉に形成された圧迫部を設け、同バンドの他端の内面に第一の布ファスナーを設けるとともに、同バンドの外面の適所に第一の布ファスナーに係合する第二の布ファスナーを設けた局所圧迫止血バンド。
【請求項２】
バンドの幅が３．５ｃｍ以上であることを特徴とする請求項１に記載の局所圧迫止血バンド。
【請求項３】
バンドの内面に設けられた圧迫部の厚さが５ｍｍ以上であることを特徴とする請求項１に記載の局所圧迫止血バンド。
【手続補正２】
【補正対象書類名】明細書
【補正対象項目名】００１１
【補正方法】変更
【補正の内容】
【０００１１】１  ゴムベルト
２  面ファスナー
３  隆起部
【手続補正書】
【提出日】平成21年6月15日(2009.6.15)
【手続補正１】
【補正対象書類名】手続補正書
【補正対象項目名】手続補正３
【補正方法】削除
【補正の内容】
(57)【要約】      （修正有）【課題】冷えたグラスの水滴をティッシュを挟んだコースターにより吸収し、ティッシュ又は、ナフキンがグラスに付いてこないコースターを提供する。【解決手段】上板１は中心にグラスが入る穴を開け、下板２は中心に上板の穴より大きな溝を掘り、その２枚の板を重ね、その１辺をジョイント３で止めて片側を開くような形状を有するコースターを構成する。さらに、上記２枚の板の間に、ティッシュ又はナフキン等の水分吸収帯をはさみ込み、グラスについた水滴を吸収させる。この構成により、グラスがコースターに付いて来ることを防止でき、かつ、該水分吸収帯は簡易に交換することができる。【選択図】図１
0003152693.tif 000002
【実用新案登録請求の範囲】
【請求項１】
冷たいドリンク及び水割り等を入れたコップを置いておくと、水滴が落ち、テーブルもしくはコースターを濡らしてしまう。
又、ナフキンをコップの下に敷いた場合、コップを持つと、ナフキンも一緒についてきてしまう。
考案として、二枚の板の間にティッシュを挟み、ティッシュがコップについてこない様にし、ティッシュが濡れた場合すぐに交換が出来る。
又、茶托としても使用できる。
【請求項２】
材質は、樹脂、木工等、何でもよい
【請求項３】
二枚の板は上下バラバラにしたのでは、ティッシュが上板と一緒についてきてしまうため、上下の板を片開きで１辺をジョイントで止める。
【考案の詳細な説明】
【技術分野】
【０００１】この考案は水滴の付いたコップの水滴を防止するためのもの。
【背景技術】
【０００２】従来より１枚で使用する紙及び木製のコースターはある。
【考案が解決しようとする課題】
【０００３】それは次のような問題があった。
（イ）コップを置いたコースターから水滴が流れ出ていた。
（ロ）水滴によりコップとコースターがくっ付きコップを持つとコースターが付いてきた。
（ハ）ナフキン等でコップを包んでもすぐにびしょびしょになった。
本考案は、以上の問題点を解決するために考案されたものである。
【課題を解決するための手段】
【０００４】下板（あ）には溝（い）を作り、そこにティッシュをおき、上板にはコップが置けるように丸く穴（う）を開け、下板に置いたティッシュを挟み込み、ティッシュがコップに付いてこなくしたものを特徴とした。
【本案の効果】
【０００５】水滴でテーブルが濡れず、コップにコースターも付いてこない。
【考案を実施するための最良の形態】以下、本案の実施の形態を説明する。
（イ）下板には四角い溝（い）を彫り、上板は丸く穴（う）を開けてコップを置けるようにし、上板と下板は一辺をジョイント（え）で止める。
（ロ）ジョイントした反対側には、開かないように止める機能（お）をつける。
【実施例】
【０００６】冷たい飲み物のコースター及び温かい飲み物の茶托として使用する。
【産業上の利用可能性】
【０００７】飲食店、ホテル等の飲食する場所で容易にに利用できる。
【図面の簡単な説明】
【０００８】
【図１】（い）の部分に水滴を吸収するティッシュ等を置き、（１）をおろし、（あ）と合わせ、（か）と（お）で止める。（う）の部分へ、コップ等を置く。
【符号の説明】
【０００９】（１）上板
（２）下板
（３）ジョイント
（４）クリップ
【図１】
0003152693.tif 000003
【手続補正書】
【提出日】平成20年12月9日(2008.12.9)
【手続補正１】
【補正対象書類名】実用新案登録請求の範囲
【補正対象項目名】全文
【補正方法】変更
【補正の内容】
【実用新案登録請求の範囲】
【請求項１】
上板は中心にグラスが入るように丸く穴を開け、下板は中心に上板の穴より大きく四角い溝を掘った２枚の板を重ね、その１辺をジョイントで止めて片開きにし、下板の四角く掘り込んだ部分にティッシュ等を置き、上板で挟み込む形状を有するコースター。
【請求項２】
グラスに付いた水滴を請求項１で挟み込んだティッシュに吸収させ、濡れたティッシュを簡単に交換出来ることを特徴とする請求項１に記載のコースター。
【請求項３】
請求項１で記載した２枚の板を重ねることでその重みでグラスとティッシュがくっつき、コースターがグラスと一緒に持ち上がらないことを特徴としたコースター。
【手続補正書】
【提出日】平成21年2月25日(2009.2.25)
【手続補正１】
【補正対象書類名】実用新案登録請求の範囲
【補正対象項目名】全文
【補正方法】変更
【補正の内容】
【実用新案登録請求の範囲】
【請求項１】
上板は中心にグラスが入る穴を開け、下板は中心に上板の穴より大きな溝を掘り、その２枚の板を重ね、その１辺をジョイントで止めて片側を開くような形状を有するコースター。
【請求項２】
上記２枚板の下板に水分吸収帯を置き、上板で挟み吸収帯を固定させることを特徴とする請求項１に記載のコースター。
【請求項３】
上記で使用した水分吸収帯を上板を開いて交換できることを特徴とする請求項１に記載のコースター。
【手続補正書】
【提出日】平成21年5月19日(2009.5.19)
【手続補正１】
【補正対象書類名】実用新案登録請求の範囲
【補正対象項目名】全文
【補正方法】変更
【補正の内容】
【実用新案登録請求の範囲】
【請求項１】
上板は中心にグラスが入る穴を開け、下板は中心に上板の穴より大きな溝を掘り、その２枚の板を重ね、その１辺をジョイントで止めて片側を開くような形状を有するコースター。
【請求項２】
上記２枚板の下板の溝部分に水分吸収帯を置き、上板で挟み水分吸収帯を固定させることを特徴とする請求項１に記載のコースター。
【請求項３】
上記水分吸収帯を上板を開いて交換できることを特徴とする請求項２に記載のコースター。
(57)【要約】      （修正有） 【課題】砂除けの機能や、通気性、通水性を持たせた履物を提供する。【解決手段】履物の底に高さ７ｍｍから１０ｍｍ、直径約２０ｍｍから３０ｍｍのクレーターのような吸盤型の突起を付けた。【選択図】図２
0003152661.tif 000002
【実用新案登録請求の範囲】
【請求項１】
履物の底より7〜10mmの高さの位置に、直径が２０ｍｍから３０ｍｍの略円状の突起を一つ以上設けることにより、足裏を履物の底より高く設置し、砂などが入りにくく、且つ、砂が入った場合でも容易に砂を取り除くことが出来ることを特徴とする履物。
【請求項２】
前記突起は、略円状で、円の真ん中が平らで、周壁が真ん中より高いクレーターのような吸盤型で、ゴムによる弾力性のある素材にする事で、足裏の接地面の安定を図った請求項１に記載の履物
【考案の詳細な説明】
【技術分野】
【０００１】
本考案は、砂除けの機能、通気性向上機能及び通水性向上の機能を持つ履物に関するものである。
【０００２】
本考案は、砂除けの突起がクレーターのよう略円状で、円の真ん中が平らで、周辺が真ん中より高い吸盤状になった履物に関するものである。
【背景技術】
【０００３】
一般的なビーチサンダルなどの履物は、足裏全体が履物に接地するため、砂浜などで砂が入ったり、通気性、通水性が悪いものがほとんどである。また、履いているうちに足の裏が後ろや左右の側面に落ちてしまったりするので、歩行しにくくなる事が多い。
【０００４】
一般的に靴底に突起があるものは、ツボ押しなどのために付けられたものが、ほとんどだが、本考案は、突起をクレーターのような吸盤状にすることで、足裏と一体になり、より歩行をしやすくすることが可能になるものである。
【考案の概要】
【考案が解決しようとする課題】
【０００５】
一般的な履物で砂浜などを歩くと、履物と足裏の間に砂などが入って、大変不快な思いをすることが多い。
【０００６】
また、足の裏と履物が密着していると、通気性が悪く蒸れやすい。そのため、足裏に白癬菌などが繁殖しやすい等の問題も起きやすくなる。
【０００７】
ビーチサンダルなどの履物は、足裏が固定されにくく、履物の中で足がずれやすく歩行しにくいなどの問題がある。
【課題を解決するための手段】
【０００８】
本考案は、砂除けの機能や、通気性、通水性を持たせるために、履物の表面のしかるべき位置に高さ７mmから１０ｍｍ、直径約２０ｍｍから３０ｍｍ程度の略円状の突起を付けて、足裏を履物に密着しないようにした履物である。また、その突起をクレーターのように略円状で、円の真ん中が平らで、周辺が真ん中より高い吸盤型にすることで、足裏の安定に繋がることを可能にした履物である。
砂などが入りにくく、また、入った場合でも容易に砂を取り除くことが出来るように足裏を履物より少し高い位置で安定する形状をとる。
【考案の効果】
【０００９】
履物の表面のしかるべき位置に高さが７ｍｍから１０mm、直径が２０ｍｍから３０ｍｍ程度の略円状の突起を、履物に少なくとも一つ以上、又は、履物の親指部、踵部に一つ以上つける事で、足の裏全体が履物に密着しないようにし、その結果、履物と足裏の間に砂などが入りにくくする。
【００１０】
履物の表面のしかるべき位置に高さが７ｍｍから１０mm、直径が２０ｍｍから３０ｍｍ程度の略円状の突起をつける事で、足の裏全体が履物に密着しないようになり、その結果、履物と足裏の間の通気性、通水性が向上し、蒸れにくく、菌などの繁殖を抑える事が可能になる。
【００１１】
また、突起を略円状で、円の真ん中が平らで、周辺が真ん中より高い吸盤型のクレーターのような吸盤型にする事で、足裏の安定に繋がり、より良い歩行を助ける事が出来るようになる履物である。
【図面の簡単な説明】
【００１２】
【図１】本発明の履物の足底の上面図
【図２】本発明の履物の斜視図
【考案を実施するための形態】
【００１３】
本考案の履物の構成を図１〜図２に示す。図１は履物の足底の上面図、図２は履物の斜視図である。高さ７ｍｍから１０mm、直径が２０ｍｍから３０ｍｍ程度の周壁が真ん中より高いクレーターのようなゴムなどの弾力性のある素材で構成した吸盤型の略円状の突起１−６を配置した状態の履物である。このように吸盤型の突起１−６を履物の表面のしかるべき位置にゴムなどの弾力性のある素材で構成した吸盤型の突起をつける事で、足の裏全体が履物に密着しないようになる。
【産業上の利用可能性】
【００１４】
ビーチサンダル、サンダルなどの履物全般応用できる。
【符号の説明】
【００１５】
１  親指支持の突起
２  親指以外の指の突起
３  内側足根小球の突起
４  外側足根小球の突起
５  外側突起
６  踵部突起
７  親指部
８  踵部
【図１】
0003152661.tif 000003
【図２】
0003152661.tif 000004
(57)【要約】      （修正有）【課題】清潔に保持できる、温熱または冷却機能を有するショールを提供する。【解決手段】開口部に止め具が設けられたポケットを設け、このポケット内に、温熱または冷却機能をもった材料を簡単に脱着できるように収納した。【選択図】図２
0003152627.tif 000002
【実用新案登録請求の範囲】
【請求項１】
ショールやバンドまたはスカーフ等首巻き用布体において、開口部に止め具が設けられたポケットを設け、このポケット内に、温熱または冷却機能をもった材料を簡単に脱着できるように収納したショールやバンドまたはスカーフ。 
【考案の詳細な説明】
【技術分野】
【０００１】
この考案は、温熱または冷却機能を有する、例えばゲル状の材料を内蔵するポケットを備えたショールに関する。
【背景技術】
【０００２】
炎天下のスポーツ応援観戦時、または競技中などの、夏の暑さから守るため人の後頭部、後ろ首筋にショールやバンドを着用する場合がある。其のショールやバンドまたはスカーフに吸水材料を内蔵、水分を蒸発させる時、気化熱が発生し、着用者の後頭部より熱を奪うので、着用者が涼しく感じることが出来る。すなわち、長時間ひんやり涼しく保つことが出来る。又は冬に懐炉を入れることによって暖かく感じることも出来る。従来のショールには懐炉や吸水ポリマー等吸水材料を内蔵し縫い込み方式で固定していた。ショールは汚れても懐炉や吸水材料等の内蔵物が取り外せないため、水洗いすることもできなかった。よって、洗濯しないまま、繰り返し使用すればダニや寄生虫の発生もあり、不潔であった。
【考案の開示】
【考案が解決しようとする課題】
【０００３】
従来の懐炉や吸水ポリマー等、吸水材料を内蔵するショールは汚れても内蔵物が取り外せないため、水洗うことができなかった。その汚れやダニや寄生虫の発生を防ぎ、周期的に内蔵物を取り外して、洗濯を可能にし、着用時の爽快感と、ショールを常に清潔に保持することを課題とした。
【課題を解決するための手段】
【０００４】
本考案はショール本体にポケットを設け、ポケットの淵側にテープ状止め具、ファスナー、ホック等の止め具を設置することにより、懐炉や吸水ポリマー等吸水材料などの内蔵物が簡単に脱着できるようになる。
【考案の効果】
【０００５】
本考案によれば、懐炉や吸水ポリマー等吸水材料などの内蔵物が周期的に取りだせることによって、ショール本体を水洗いすることが可能になり、ショール本体を常に清潔に保つことを実現した。ダニや寄生虫の発生や汚れを防ぎ、着用時の爽快感と、ショールを常に清潔に保持することができる。
【図面の簡単な説明】
【０００６】
【図１】この発明の実施形態である使用時のショールを示す展開図である。
【図２】ショールのポケット内に温熱または冷却機能をもった材料を収納する際の説明図である。
【考案を実施するための最良の形態】
【０００７】
この考案の一実施形態を図１に示す。スカーフやショールまたはバンドである本体Ａの中央部分にポケットＤを設け、ポケットＤの一辺の縁側にテープ状止め具、ファスナー、ホック等の止め具Ｂを設置してポケットＤの開口部を開閉可能にした。懐炉や吸水ポリマー等吸水材料などの内蔵物袋ＣをポッケトＤに収納する。ポケットＤの開口部は開閉可能であるので、内蔵物袋であるＣが簡単に脱着できるようになる。
【産業上の利用可能性】
【０００８】
この考案によれば、ポケットＤの一辺の縁側にテープ状止め具、ファスナー、ホック等の止め具Ｂが設けられているので、懐炉や吸水ポリマー等吸水材料などの内蔵物Ｃが簡単に脱着でき、使用に伴い、例えば１週間に１度のように周期的に洗濯することで、ショールを常に清潔に保つことが実現できる。
【符号の説明】
【０００９】
Ａ  ショールやバンドまたはスカーフ等首巻き用布体        
Ｂ  マジックテープ、ファスナー、ホックなどの止め具
Ｃ  懐炉や吸水ポリマー等吸水材料袋
Ｄ  ポケット 
【図１】
0003152627.tif 000003
【図２】
0003152627.tif 000004
(57)【要約】      （修正有）【課題】各釣鈎の結束を強固にし、釣り中に錨形状が容易に変形することがない錨状の釣鈎を提供する。【課題手段】複数本の釣鈎を糸で結束して錨状の釣鈎を形成するに際し、各釣鈎の軸部を背合わせ状にして配置させるとともに、その軸部に沿って２本のスガ糸を配置させ、一方のスガ糸を軸部に沿わせたままの状態にするとともに、他方のスガ糸を軸部の中程まで巻き付けた後、両スガ糸を一緒にして、各鉤針の軸部に対して尻掛を行い、その後、両スガ糸を軸部の先端側に向けて中程位置まで巻き付けて接着固定したことを特徴とする。【選択図】図２
0003152686.tif 000002
【実用新案登録請求の範囲】
【請求項１】
釣鈎2・・の軸部３・・を背合わせ状に配置させるとともに、軸部３・・に沿ってスガ糸4ａ・4ｂを配置させ、一方のスガ糸4ａを軸部３・・に沿わせたままにして、他方のスガ糸4ｂで軸部３・・と一方のスガ糸４ａを一緒にして軸部３・・の中程まで巻き付けた後、両スガ糸4ａ・4ｂを一緒にして釣鈎に尻掛を施し、その後、両スガ糸４ａ・４ｂを軸部３・・の軸側部側に導き、軸端側に向けて複数回巻き付け、その状態で接着固定したことを特徴とす錨状釣鈎。
【考案の詳細な説明】
【技術分野】
【０００１】
この考案は、鮎の友釣り等の際に使用する錨状の掛け鈎の改良に関するものである。
【背景技術】
【０００２】
鮎の友釣り等に際しては、複数本の釣鈎の軸部を沿わせた状態にして固定した錨状の掛け鈎が使用されるのであるが、従来、このような掛け鈎を形成するに際しては、複数本の釣鈎の軸部を背合わせ状にして仮固定した後、スガ糸（結束糸）で軸部先端からフトコロ側に向けて巻き下ろし、釣鈎の曲がり部分達した段階で、各釣鈎の軸部に尻掛けを行ない、各釣鈎が錨状となるように形を整えた後、接着剤で固定した構成となっているのである。
【考案の概要】
【考案が解決しようとする課題】
【０００３】
錨状の掛け鈎は、主として鮎の友釣りの際に使用されるのであり、鮎の友釣りに際しては、オトリ鮎の尾ビレから僅か後方に延びた状態となるようにして仕掛けに装着させて水中に放ち、オトリ鮎に攻撃を仕掛てくる野鮎を掛け鈎に掛けて釣り上げようとするものである。
【０００４】
このような形で使用される掛け鈎は、オトリ鮎が泳ぎ回ることによって、絶えず鈎先が石等に接触し、また、勢いよく突進してきた野鮎が掛かった際に、錨状に成された掛け鈎の鈎先に大きな衝撃が加わることになり、従来のような結束方法を採っていたのでは、その際の衝撃により、錨状に形成した掛け鈎の錨形状が変形して仕舞うことになるのである。
【０００５】
鮎の友釣りに、このような形の錨状の掛け鈎が使用されるのは、どのような方向から野鮎が向かってきても、効率よく野鮎を掛けようとするものであり、錨鈎の錨形状が変形してしまえば、掛け鈎としての機能が著しく低下することになるのである。
【０００６】
この考案は、鮎の友釣りに際して使用する錨状の掛け鈎にあって、錨形状が容易に変形することがないようにしようとするものである。
【課題を解決するための手段】
【０００７】
複数本の釣鈎を糸で結束して錨状の釣鈎を形成するに際し、各釣鈎の軸部を背合わせ状にして配置させるとともに、その軸部に沿って２本のスガ糸を配置させ、一方のスガ糸を軸部に沿ったままの状態にするとともに、他方のスガ糸で軸部と一方のスガ糸を一緒にして軸部の中程位置まで巻き付けた後、スガ糸を一緒にし、各釣鈎の軸部に尻掛けを行ない、その後、両スガ糸を釣鈎の軸側部側に導て軸端側に向けて複数回巻き付け、錨形状に形を整えて接着剤で接着固定したことを特徴とするものである。
【考案の効果】
【０００８】
この考案にかかる錨状の釣鈎は上記のような構成であって、１本のスガ糸を釣鈎の軸部中程位置まで巻き付けることによって各釣鈎は一応固定状態となるのであるが、その段階で２本のスガ糸を一緒にして各釣鈎に尻掛けを行なうことにより、各釣鈎の軸部と軸部の間に２本のスガ糸が入り込み、あたかも各釣鈎の軸間にクサビを差し入れたような状態となって固定が強固になるとともに、さらに、２本のスガ糸で釣鈎の軸部を端部側に向けて巻き付けるため、釣鈎の軸部が再度締め付けられた状態となって結束状態が強固となり、鮎友釣り中に発生する錨鈎の錨形状の変形を防止し、釣果の向上を図り得るという利点があるのである。
【図面の簡単な説明】
【０００９】
【図１】この考案に係る錨状鈎の形成手順を示す斜視図である。
【図２】この考案に係る錨状鈎の形成手順を示す斜視図である。
【図３】この考案に係る錨状鈎の形成手順を示す斜視図である。
【考案を実施するための形態】
【００１０】
図面に基づいて、この考案の実施例を説明すると、錨状釣鈎本体１は、各釣鈎2・・の軸部３・・が背合わせ状になるようにして錨状に配置させ、その軸部３・・の先端側にスガ糸４の折り返し部４ｃを挟み込ませた状態となるようにして配置させ、一方のスガ糸4ａを軸部３・・沿わせたままの状態にするとともに、他方のスガ糸４bで、スガ糸４aと軸部３・・とハリス５とを一緒にして軸部３・・の中程位置まで巻き付けた後、両スガ糸4ａと４ｂとを一緒にして各釣鈎の曲がり部付近に尻掛けし（各釣鈎の曲がり部付近に巻き付ける。）、その後、２本のスガ糸４a・４bを軸部３・・の軸側部側に引き出し、軸端側に向けてその中程位置（最初の巻き付け処理における巻き終わり位置。）まで巻き付け、最後に、各釣鈎を錨形状に形を整え、接着剤で固定した構成となっているのである。
【００１１】
上記は、長い１本のスガ糸４を中程位置で折り曲げ状にして使用した場合の実施例であるが、２本のスガ糸を平行状にし配置し、一方のスガ糸を軸部３・・に沿わせた状態とするとともに、他方のスガ糸で巻き付け、軸部３・・の中程位置まで巻き付けた後、２本のスガ糸を一緒にして尻掛けし、その後、２本のスガ糸４a・４bを軸部３・・の軸側部側に引き出し、軸端側に向けてその中程位置まで巻き付け、最後に、各釣鈎を錨形状に形を整え、接着剤で固定した構成とすることも可能である。
【符号の説明】
【００１２】
１ 錨状釣鈎本体
２ 釣鈎
３ 軸部
４ スガ糸
４ａ スガ糸
４ｂ スガ糸
【図１】
0003152686.tif 000003
【図２】
0003152686.tif 000004
【図３】
0003152686.tif 000005